(57)【要約】【課題】バックライトシャーシに支持された光源を露出し、露出した光源の前に十分な大きさの作業空間を確保して光源の交換を円滑に行うことができる表示装置を提供する。【解決手段】バックライトシャーシ１の正面にて蛍光管２、２、・・・、２を支持し、パネル保持枠６及びバックライトシャーシ１の上側部をヒンジ４、４、・・・、４にて連結して、パネル保持枠６を上方へ回動させることによって蛍光管２、２、・・・、２を露出させることができ、また蛍光管２、２、・・・、２の前に十分な大きさの作業空間を確保し、交換作業を円滑に進めることができる構成とした。【選択図】図１
2010061015.tif 000002
【特許請求の範囲】
【請求項１】
映像を表示する表示パネルを保持するパネル保持枠と、該パネル保持枠に対向する矩形のシャーシとを備え、該シャーシの前記パネル保持枠側に前記表示パネルにて映像の表示を行うための部品を支持してある表示装置において、
前記シャーシの長縁部に沿って枢軸を配してあり、
該枢軸によって前記シャーシと前記パネル保持枠とを連結してあることを特徴とする表示装置。
【請求項２】
前記シャーシを支持する支持部を備えることを特徴とする請求項１に記載の表示装置。
【請求項３】
前記支持部は、前記シャーシの長縁部の一方を支持しており、
前記シャーシの長縁部の他方に沿って枢軸を配してあることを特徴とする請求項２に記載の表示装置。
【請求項４】
前記支持部は、前記シャーシの前記パネル保持枠と反対側を支持していることを特徴とする請求項２に記載の表示装置。
【請求項５】
前記パネル保持枠を前記シャーシから離反する方向に付勢する付勢部材を備えることを特徴とする請求項１から４のいずれか一つに記載の表示装置。
【請求項６】
前記付勢部材から前記パネル保持枠に作用する付勢力を緩衝する緩衝部材を備え、
前記パネル保持枠及びシャーシの側部が、前記付勢部材と前記緩衝部材とによって連結してあること
を特徴とする請求項５に記載の表示装置。
【請求項７】
前記付勢部材はばねであり、
前記緩衝部材は、前記付勢力を緩衝する緩衝部を有する伸縮可能な杆体であること
を特徴とする請求項６に記載の表示装置。
【請求項８】
前記パネル保持枠の自重による付勢力を緩衝する自重緩衝部材を備え、
前記パネル保持枠及びシャーシの側部が、前記自重緩衝部材によって連結してあること
を特徴とする請求項１から４のいずれか一つに記載の表示装置。
【請求項９】
前記枢軸を支点にして前記パネル保持枠を枢動させて、前記パネル保持枠と前記シャーシとの接離を行う接離機構を備えることを特徴とする請求項１から４のいずれか一つに記載の表示装置。
【請求項１０】
前記接離機構は、
前記シャーシの側部にて縦方向に配置された回転可能な雄ねじ体と、
該雄ねじ体に螺合する雌ねじ体と、
該雌ねじ体と前記パネル保持枠の側部とを連結する連結棒とを備え、
該連結棒の両端部を前記雌ねじ体と前記パネル保持枠の側部とにそれぞれ回動可能に連結してあること
を特徴とする請求項９に記載の表示装置。
【請求項１１】
二つの前記接離機構を、前記シャーシの両側部にそれぞれ配置してあり、
両接離機構の連動を行う連動機構を備えることを特徴とする請求項９又は１０に記載の表示装置。
【請求項１２】
前記連動機構は、二つの前記接離機構の各雄ねじ体にそれぞれ連結してあるプーリと、該プーリ間に掛架してあるベルトとを備えることを特徴とする請求項１１に記載の表示装置。
【請求項１３】
前記プーリはタイミングプーリであり、前記ベルトはタイミングベルトであることを特徴とする請求項１２に記載の表示装置。
【請求項１４】
前記雄ねじ体に、動力を発生させるための動力発生手段を伝動部材を介して取り付けることができるようにしてあり、
前記伝動部材に取り付けた前記動力発生手段によって前記雄ねじ体を回転させるようにしてあることを特徴とする請求項１０から１３のいずれか一つに記載の表示装置。
【請求項１５】
前記動力発生手段はクランク形のハンドルであり、
一端部を前記伝動部材に取り付けて前記ハンドルを回転操作することによって、前記雄ねじ体が回転するようにしてあることを特徴とする請求項１４に記載の表示装置。
【請求項１６】
前記動力発生手段は回転軸であり、
該回転軸によって前記雄ねじ体が回転するようにしてあることを特徴とする請求項１４に記載の表示装置。
【請求項１７】
前記雄ねじ体にモータを連結してあり、
該モータの駆動によって前記雄ねじ体が回転するようにしてあること
を特徴とする請求項１０から１３のいずれか一つに記載の表示装置。
【発明の詳細な説明】
【技術分野】
【０００１】
本発明は、映像を表示する表示パネルを保持するパネル保持枠と、表示パネルに向けて光を照射する光源を支持しており、パネル保持枠に対向するシャーシとを離反させることができる表示装置に関する。
【背景技術】
【０００２】
室内に設置しても占有面積が大きくならないことから、近年、薄型の表示装置が広く普及している。表示装置は、長期間の使用、使用環境等によって不具合が発生する場合があり、不具合が発生した場合には、表示装置に使用されている部品を露出させて、部品に問題がないか確認する必要がある。このとき問題がある部品、例えば点灯しない光源、誤動作を起こす表示パネルの駆動回路等が発見された場合には、これらの光源等を交換して、表示装置の不具合を是正する。
【０００３】
光源等を露出させるためには、表示装置を分解することが考えられるが、表示装置の分解には長時間を費やす必要があり、分解することなく光源等を露出させることが望ましい。特許文献１には、分解することなく表示制御基板及び光源としての発光素子を露出させることができる情報表示装置が開示されている。該情報表示装置は、表示制御基板及び発光素子を保持する矩形の発光素子保持部と、該発光素子保持部に対向しており、発光素子のコントラストを向上させるための矩形のフィルタを保持する矩形枠形の発光素子保護部とを備えている。
【０００４】
情報表示装置は縦置きにしてあり、発光素子保護部をその上側部を支点にして正面側に回動させた後に、発光素子保持部をその下側部を支点にして正面側に回動させて、発光素子保持部の背面にて固定された表示制御基板及び発光素子を露出させ、表示制御基板及び発光素子の交換を行うようにしてある。
【特許文献１】特開平７−１０４６８１号公報
【発明の開示】
【発明が解決しようとする課題】
【０００５】
しかし特許文献１に記載の情報表示装置は、発光素子保護部と発光素子保持部との間の狭い空間にて、表示制御基板及び発光素子の交換を行う必要があり、交換作業に長時間を要するという問題があった。
【０００６】
ところで映像を表示する表示パネルを保持するパネル保持枠と、該パネル保持枠に対向しており、表示パネルにて映像の表示を行うための部品、例えば光源、表示パネルを駆動する駆動回路等を前記パネル保持枠側にて支持するシャーシとを備える表示装置が以前より提案されているが、該表示装置は、シャーシのパネル保持枠側、すなわちシャーシの正面側にて前記光源等を固定している点において前述した情報表示装置と構成が異なる。この表示装置を前述した情報表示装置と同様に、上側部を支点にしてパネル保持枠を正面側に回動させた後に、下側部を支点にしてシャーシを正面側に回動させる構成とした場合には、前記問題に加えて、前記光源等がシャーシに隠れて露出しなくなるという問題が発生する。
【０００７】
本発明は斯かる事情に鑑みてなされたものであり、シャーシに支持された光源等を露出させて、露出した光源等の前に十分な大きさの作業空間を確保し、光源等の交換を円滑に行うことができる表示装置を提供することを目的とする。
【課題を解決するための手段】
【０００８】
本発明に係る表示装置は、映像を表示する表示パネルを保持するパネル保持枠と、該パネル保持枠に対向する矩形のシャーシとを備え、該シャーシの前記パネル保持枠側に前記表示パネルにて映像の表示を行うための部品を支持してある表示装置において、前記シャーシの長縁部に沿って枢軸を配してあり、該枢軸によって前記シャーシと前記パネル保持枠とを連結してあることを特徴とする。
【０００９】
本発明においては、前記シャーシの前記パネル保持枠側にて前記表示パネルにて映像の表示を行うための部品、例えば光源、表示パネルを駆動する駆動回路等を支持し、例えば前記パネル保持枠及びシャーシの上側部を枢軸にて連結することによって、前記パネル保持枠を上方へ回動させるだけで光源を露出させることができるので、光源等の前に十分な大きさの作業空間を確保して、光源等の交換作業を円滑に進め、光源等を短時間で交換することができる。
【００１０】
本発明に係る表示装置は、前記シャーシを支持する支持部を備えることを特徴とする。
【００１１】
本発明においては、前記シャーシを支持する支持部を設けることによって、表示装置を室内にて安定に設置する。
【００１２】
本発明に係る表示装置は、前記支持部は、前記シャーシの長縁部の一方を支持しており、前記シャーシの長縁部の他方に沿って枢軸を配してあることを特徴とする。
【００１３】
本発明においては、前記シャーシの下側部を支持部にて支持することによって、表示装置は支持部を基端にした縦置きの状態になる。
【００１４】
本発明に係る表示装置は、前記支持部は、前記シャーシの前記パネル保持枠と反対側を支持していることを特徴とする。
【００１５】
本発明においては、前記シャーシの前記パネル保持枠と反対側を支持部にて支持し、該支持部を壁に取り付けることによって、表示装置を壁に設置する。
【００１６】
本発明に係る表示装置は、前記パネル保持枠を前記シャーシから離反する方向に付勢する付勢部材を備えることを特徴とする。
【００１７】
本発明においては、付勢部材を設けることによってパネル保持枠に付勢力が作用し、パネル保持枠はシャーシから離反して、光源等の交換作業に従事する作業者の負担が軽減される。
【００１８】
本発明に係る表示装置は、前記付勢部材から前記パネル保持枠に作用する付勢力を緩衝する緩衝部材を備え、前記パネル保持枠及びシャーシの側部が、前記付勢部材と前記緩衝部材とによって連結してあることを特徴とする。
【００１９】
本発明においては、パネル保持枠及びシャーシの側部を緩衝部材と付勢部材とで連結することによって、パネル保持枠を徐々にシャーシから離反させて、急激な力が作用することによる枢軸の破損を防止する。
【００２０】
本発明に係る表示装置は、前記付勢部材はばねであり、前記緩衝部材は、前記付勢力を緩衝する緩衝部を有する伸縮可能な杆体であることを特徴とする。
【００２１】
本発明においては、パネル保持枠及びシャーシの側部をばね及び伸縮可能な杆体で連結することによって、パネル保持枠を徐々にシャーシから離反させて、簡素な構成にて前記枢軸の破損を防止する。
【００２２】
本発明に係る表示装置は、前記パネル保持枠の自重による付勢力を緩衝する自重緩衝部材を備え、前記パネル保持枠及びシャーシの側部が、前記自重緩衝部材によって連結してあることを特徴とする。
【００２３】
本発明においては、前記パネル保持枠及びシャーシの下側部を前記枢軸にて連結した場合に、自重によってパネル保持枠はシャーシから離反するが、前記パネル保持枠の自重による付勢力を緩衝する自重緩衝部材を設けることによって、パネル保持枠は徐々にシャーシから離反するので、急激な力が作用することによる枢軸の破損を防止することができる。
【００２４】
本発明に係る表示装置は、前記枢軸を支点にして前記パネル保持枠を枢動させて、前記パネル保持枠と前記シャーシとの接離を行う接離機構を備えることを特徴とする。
【００２５】
本発明においては、前記接離機構の動作によってパネル保持枠をシャーシに対して接離させるので、光源等の交換作業に従事する作業者の負担が軽くなる。
【００２６】
本発明に係る表示装置は、前記接離機構は、前記シャーシの側部にて縦方向に配置された回転可能な雄ねじ体と、該雄ねじ体に螺合する雌ねじ体と、該雌ねじ体と前記パネル保持枠の側部とを連結する連結棒とを備え、該連結棒の両端部を前記雌ねじ体と前記パネル保持枠の側部とにそれぞれ回動可能に連結してあることを特徴とする。
【００２７】
本発明においては、雄ねじ体の回転によって雌ねじ体が昇降し、雌ねじ体の昇降運動は連結棒を介してパネル保持枠の枢動運動に効率良く変換される。
【００２８】
本発明に係る表示装置は、二つの前記接離機構を、前記シャーシの両側部にそれぞれ配置してあり、両接離機構の連動を行う連動機構を備えることを特徴とする。
【００２９】
本発明においては、二つの接離機構をシャーシの両側部にそれぞれ配置し、両接離機構の連動を行う連動機構を設けることによって、両接離機構を同期して動作させ、パネル保持枠の両側を前記連結棒にて安定に支持した状態でパネル保持枠を枢動させて、パネル保持枠での歪みの発生を防ぐ。
【００３０】
本発明に係る表示装置は、前記連動機構は、二つの前記接離機構の各雄ねじ体にそれぞれ連結してあるプーリと、該プーリ間に掛架してあるベルトとを備えることを特徴とする。
【００３１】
本発明においては、前記連動機構をプーリとベルトとによって構成することで、簡素な構成にて、両接離機構の同期した動作を実現することができる。
【００３２】
本発明に係る表示装置は、前記プーリはタイミングプーリであり、前記ベルトはタイミングベルトであることを特徴とする。
【００３３】
本発明においては、前記連動機構をタイミングプーリとタイミングベルトとによって構成することで、両接離機構の動作を確実に同期させて、一方の接離機構の動作を効率よく他方の接離機構に伝達する。
【００３４】
本発明に係る表示装置は、前記雄ねじ体に、動力を発生させるための動力発生手段を伝動部材を介して取り付けることができるようにしてあり、前記伝動部材に取り付けた前記動力発生手段によって前記雄ねじ体を回転させるようにしてあることを特徴とする。
【００３５】
本発明においては、光源等の保守・交換を行う場合にのみ動力発生手段を伝動部材に取り付けるようにして、表示装置の出荷時における組立部品から動力発生手段を除外し、表示装置の組立時間を短縮する。
【００３６】
本発明に係る表示装置は、前記動力発生手段はクランク形のハンドルであり、一端部を前記伝動部材に取り付けて前記ハンドルを回転操作することによって、前記雄ねじ体が回転するようにしてあることを特徴とする。
【００３７】
本発明においては、クランク形のハンドルの回転操作によって雄ねじ体が回転し、光源等の交換作業に従事する作業者によるハンドルの簡便な操作で前記パネル保持枠は枢動するので、作業者の負担は軽くなる。
【００３８】
本発明に係る表示装置は、前記動力発生手段は回転軸であり、該回転軸によって前記雄ねじ体を回転させるようにしてあることを特徴とする。
【００３９】
本発明においては、回転軸によって前記雄ねじ体が回転するので、前記パネル保持枠は高速で枢動し、光源等の交換に要する時間は短縮される。
【００４０】
本発明に係る表示装置は、前記雄ねじ体にモータを連結してあり、該モータの駆動によって前記雄ねじ体を回転させるようにしてあることを特徴とする。
【００４１】
本発明においては、モータの駆動によって前記雄ねじ体が回転するので、前記パネル保持枠は高速で枢動し、光源等の交換に要する時間は短縮される。
【発明の効果】
【００４２】
本発明に係る表示装置にあっては、前記シャーシの前記パネル保持枠側にて前記光源等を支持し、例えば前記パネル保持枠及びシャーシの上部を枢軸にて連結して、前記パネル保持枠を上方へ回動させて光源等を露出させると共に、光源等の交換に必要な作業空間を十分に確保し、交換作業に要する時間を短縮することができる。
【発明を実施するための最良の形態】
【００４３】
（実施の形態１）
以下本発明を実施の形態１に係る表示装置を示す図面に基づいて詳述する。
図１はパネル保持枠及びバックライトシャーシが離反した状態における表示装置を示す模式的斜視図、図２はパネル保持枠及びバックライトシャーシが離反した状態における表示装置を示す模式的背面図である。
【００４４】
本発明に係る表示装置は縦置きにしてあり、表示装置は、光源としての複数の蛍光管２、２、・・・、２を支持する矩形筐形のバックライトシャーシ１を備えている。該バックライトシャーシ１の正面にて前記蛍光管２、２、・・・、２は支持されており、バックライトシャーシ１は、バックライトシャーシ１を支持する支持台３に立設している。
【００４５】
バックライトシャーシ１の上側部には、複数のヒンジ４、４、・・・、４を介して、映像を表示する表示パネル５を保持する矩形のパネル保持枠６が連結されている。表示パネル５は矩形をなし、パネル保持枠６は表示パネル５の周縁部を保持している。ヒンジ４、４、・・・、４は枢軸４ａと、該枢軸４ａに連結された二つの可動板４ｂ、４ｂとを有しており、両可動板４ｂ、４ｂは、バックライトシャーシ１の上側部及びパネル保持枠６の上側部にそれぞれ固定してある。パネル保持枠６は枢軸４ａを支点にして枢動し、バックライトシャーシ１に対して接離するようにしてある。
【００４６】
バックライトシャーシ１の一側部及びパネル保持枠６の一側部は、油圧式のダンパアーム７の両端部にてそれぞれ連結されており、ダンパアーム７の両端部は、バックライトシャーシ１の一側部及びパネル保持枠６の一側部に、軸体７０、７０を介してそれぞれ回動可能に固定してある。ダンパアーム７は、内部に作動油を封入したシリンダ部７ａを備えており、該シリンダ部７ａには、軸方向に往復移動することができるロッド部７ｂが挿入してある。シリンダ部７ａは、前記軸体７０を介してバックライトシャーシ１に連結してあり、ロッド部７ｂは、前記軸体７０を介してパネル保持枠６に連結してある。またロッド部７ｂにばね７１が巻装してあり、ばね７１によってパネル保持枠６側へ移動させるための付勢力がロッド部７ｂに作用するようにしてある。なおシリンダ部７ａに作動油に代えて圧搾空気を封入して、ダンパアーム７を空気式としても良く、またばね７１をロッド部７ｂに巻装する構成に代えてシリンダ部７ａの内部にばねを設けて、該ばねによってパネル保持枠６側へ移動させるための付勢力がロッド部７ｂに作用する構成としても良い。或いは、ばね７１をロッド部７ｂに巻装する構成に代えて、バックライトシャーシ１の一側部及びパネル保持枠６の一側部をばねによって連結し、該ばねの付勢力がパネル保持枠６に直接作用して、パネル保持枠６がバックライトシャーシ１から離反する構成としても良い。
【００４７】
パネル保持枠６の正面下側の隅に、ねじ（図示せず）を挿通する貫通した二つの挿通孔６ａ、６ａが開設してあり、該挿通孔６ａ、６ａに対応するねじ孔１ａ、１ａがバックライトシャーシ１に開設してある。挿通孔６ａ、６ａにねじを挿通して、ねじ孔１ａ、１ａに螺合させて、パネル保持枠６とバックライトシャーシ１とを固定する。
【００４８】
蛍光管２、２、・・・、２の保守を行う場合には、ねじをねじ孔１ａ、１ａから取り外す。ねじがねじ孔１ａ、１ａに取り付けてある状態では、ばね７１は圧縮されているので、ねじをねじ孔１ａ、１ａから取り外した場合には、ばね７１の付勢力がロッド部７ｂに作用して、ロッド部７ｂはパネル保持枠６側へ、すなわちロッド７ｂがシリンダ部７ａから抜け出る方向へ移動する。このときシリンダ部７ａの作動油が押されてロッド部７ｂの運動エネルギーが熱エネルギーに変換されるので、ロッド部７ｂは低速で移動する。ロッド部７ｂの低速移動によってダンパアーム７は両端部の回動を伴って伸長し、パネル保持枠６は枢軸４ａを支点にして上方へ徐々に枢動して、蛍光管２、２、・・・、２が露出する。
【００４９】
作業者はバックライトシャーシ１の正面側に位置して、露出した蛍光管２、２、・・・、２に問題がないか確認し、例えば点灯しない蛍光管２が発見された場合には、その蛍光管２を交換する。蛍光管２、２、・・・、２の保守・交換が終了した場合には、パネル保持枠６を下方へ枢動させてダンパアーム７を縮小し、パネル保持枠６とバックライトシャーシ１とを近接させて、ねじをねじ孔１ａ、１ａに取り付ける。
【００５０】
実施の形態１に係る表示装置にあっては、バックライトシャーシ１の正面にて蛍光管２、２、・・・、２を支持し、パネル保持枠６及びバックライトシャーシ１の上側部をヒンジ４、４、・・・、４にて連結することによって、パネル保持枠６を上方へ回動させるだけで蛍光管２、２、・・・、２を露出させることができるので、蛍光管２、２、・・・、２の前に十分な大きさの作業空間を確保し、交換作業を円滑に進めて、蛍光管２、２、・・・、２を短時間で交換することができる。またパネル保持枠６にダンパアーム７によって付勢力を付与し、パネル保持枠６をバックライトシャーシ１から離反させて、蛍光管２、２、・・・、２の交換作業に従事する作業者の負担を軽減することができる。またパネル保持枠６及びバックライトシャーシ１をダンパアーム７によって連結することで、パネル保持枠６を徐々にバックライトシャーシ１から離反させて、ヒンジ４、４、・・・、４に急激な負荷がかかることを回避し、ヒンジ４、４、・・・、４の破損を簡易な構成にて防ぐことができる。
【００５１】
なお実施の形態１に係る表示装置は、バックライトシャーシ１の一側部及びパネル保持枠６の一側部をダンパアーム７にて連結してあるが、さらにバックライトシャーシ１の他側部及びパネル保持枠６の他側部をダンパアーム７にて連結しても良い。また蛍光管２、２、・・・、２代えて、白色ＬＥＤパネルをバックライトシャーシ１にて支持しても良い。また有機ＥＬパネル、プラズマディスプレイパネル等を使用する表示装置においても、有機ＥＬパネル等を保持する枠と、有機ＥＬパネル等を駆動する駆動回路等を支持しており、前記枠に対向するシャーシとの連結に、バックライトシャーシ１とパネル保持枠６とを離反させるための前述した構成を適用することによって、前記枠を前記シャーシから離反させて、前記駆動回路等を交換することができる。
【００５２】
図３は実施の形態１に係る表示装置の変形例を示す模式的側面図である。前記バックライトシャーシ１の背面に、壁掛け部材３０が複数のねじ３１、３１、・・・、３１によって取り付けてあり、該壁掛け部材３０は、複数のねじ３２、３２、・・・、３２によって壁５０に固定してある。なおバックライトシャーシ１と壁掛け部材３０との間には図示しないキャビネットが配設してあり、ねじ３１は該キャビネットを貫通してバックライトシャーシ１に固定してある。壁掛け部材３０を介してバックライトシャーシ１は壁５０に支持されている。またバックライトシャーシ１の一側部及びパネル保持枠６の一側部は、前記軸体７０、７０を介して前記ダンパアーム７によって連結されている。パネル保持枠６の下側部とバックライトシャーシ１の下側部とは、ヒンジ４、４、・・・、４によって連結してあり、パネル保持枠６の上側部とバックライトシャーシ１の上側部とはねじ止めしてある。
【００５３】
蛍光管２、２、・・・、２の保守・交換を行う場合には、前記ねじ止めを解除する。パネル保持枠６は自重によってバックライトシャーシ１から離反し、ロッド部７ｂはパネル保持枠６側へ、すなわちロッド７ｂがシリンダ部７ａから抜け出る方向へ低速で移動し、ダンパアーム７は両端部の回動を伴って伸長し、パネル保持枠６は枢軸４ａを支点にして下方へ徐々に枢動して、蛍光管２、２、・・・、２が露出する。蛍光管２、２、・・・、２の保守・交換が終了した場合には、パネル保持枠６を上方へ枢動させてダンパアーム７を縮小し、パネル保持枠６の上側部とバックライトシャーシ１の上側部とをねじ止めする。
【００５４】
実施の形態１に係る表示装置の変形例にあっては、パネル保持枠６の下側部とバックライトシャーシ１の下側部とをヒンジ４にて連結しているので、自重によってパネル保持枠６は下方へ枢動しバックライトシャーシ１から離反するが、ダンパアーム７を設けることによって、パネル保持枠６は徐々にバックライトシャーシ１から離反するので、急激な力が作用することによるヒンジ４の破損を防止することができる。また壁５０に取り付けることによって、室内における表示装置の占有面積を小さくすることができる。
なお実施の形態１に係る表示装置の変形例は壁掛け部材３０によってバックライトシャーシ１を支持しているが、壁掛け部材３０に代えて前記支持台３によってバックライトシャーシ１を支持する構成にしても良い。この場合支持台３を小型化することで室内における表示装置の占有面積を小さくすることができる。
【００５５】
（実施の形態２）
以下本発明を実施の形態２に係る表示装置を示す図面に基づいて詳述する。図４は表示装置を示す模式的正面図、図５はパネル保持枠６をバックライトシャーシ１から離反させた状態での表示装置を示す模式的側面図である。
【００５６】
バックライトシャーシ１の両側に、パネル保持枠６及びバックライトシャーシ１を接離させる二つの接離機構１０、１０がそれぞれ設けてある。接離機構１０、１０は、接離機構１０、１０を連動させる連動機構２０によって連結されており、一方の接離機構１０の動作に同期して他方の接離機構１０が動作するように構成されている。
【００５７】
図６は接離機構１０、１０及び連動機構２０の要部構成を示す模式的斜視図、図７は図６におけるＶＩＩ―ＶＩＩ線での模式的平面断面図である。
接離機構１０は、バックライトシャーシ１の側面に沿って上下に配設された軸回りに回転する回転軸１１を備えており、該回転軸１１の上部には、外周面にねじ溝が形成された筒形の雄ねじ体１２が嵌合している。該雄ねじ体１２の外周面に、内周面にねじ溝が形成された筒形の雌ねじ体１３が螺合しており、雌ねじ体１３の外周面には案内駒１４が設けてある。バックライトシャーシ１の側面に案内溝部１５が上下に設けてあり、前記案内駒１４は、前記案内溝部１５をガイドとして昇降することができるようにしてある。
【００５８】
前記雌ねじ体１３と前記パネル保持枠６の側部とは連結棒１６にて連結されており、連結棒１６の両端部はそれぞれ枢軸１６ａ、１６ａを介して、雌ねじ体１３とパネル保持枠６の側部とに回動可能に連結されている。前記回転軸１１の下部には、ウォームホイール１７が固着しており、該ウォームホイール１７にウォーム１８が噛合している。ウォーム１８の軸部分には、クランク形をなすハンドル１９ａを取り付けるための取手取付部１９が連結されており、該取手取付部１９、ウォームホイール１７及びウォーム１８を、二つの接離機構１０、１０のうち少なくとも一方が備えている。また二つの回転軸１１の上端部は連動機構２０によって連結されており、連動機構２０は各回転軸１１の上端に固着してある二つのタイミングプーリ２１、２１と、タイミングプーリ２１、２１に掛架してある環状のタイミングベルト２２とを備える。
【００５９】
次にパネル保持枠６とバックライトシャーシ１との離反動作について説明する。
前記取手取付部１９にクランク形のハンドル１９ａの一端部を取り付け、ハンドル１９ａの他端部を一方向へ回転させることによって、ウォーム１８が正回転し、ウォーム１８の回転力がウォームホイール１７に伝達されて、一方の回転軸１１が正回転する。このとき二つのタイミングプーリ２１、２１及びタイミングベルト２２によって、他方の回転軸１１も一方の回転軸１１と同期して正回転する。回転軸１１の正回転によって雄ねじ体１２が正回転して、雌ねじ体１３が上昇し、連結棒１６を押し上げる。連結棒１６は両端部の回動を伴って押し上げられ、該押し上げによってパネル保持枠６は、前記ヒンジ４、４、・・・、４を支点にして上方へ枢動し、バックライトシャーシ１から離れ、蛍光管２、２、・・・、２が露出する。なお図６の実線矢印にて、パネル保持枠６とバックライトシャーシ１との離反動作を示してある。
【００６０】
次にパネル保持枠６とバックライトシャーシ１との接近動作について説明する。
ハンドル１９ａの他端部を他方向へ回転させた場合には、ウォーム１８が逆回転し、ウォーム１８の回転力がウォームホイール１７に伝達されて、回転軸１１が逆回転する。このとき二つのタイミングプーリ２１、２１及びタイミングベルト２２によって、他方の回転軸１１も一方の回転軸１１と同期して逆回転する。回転軸１１の逆回転によって雄ねじ体１２が逆回転して、雌ねじ体１３が下降し、連結棒１６を下方へ引っ張る。連結棒１６は両端部の回動を伴って下方へ引っ張られ、該引っ張りによってパネル保持枠６は、前記ヒンジ４、４、・・・、４を支点にして下方へ枢動し、バックライトシャーシ１に接近する。なお図６の破線矢印にて、パネル保持枠６とバックライトシャーシ１との接近動作を示してある。また蛍光管２、２、・・・、２の保守・交換作業が終了した場合には、パネル保持枠６とバックライトシャーシ１とを実施の形態１と同様にねじ止めすることができる。
【００６１】
実施の形態２に係る表示装置にあっては、接離機構１０、１０を動作させて、パネル保持枠６のバックライトシャーシ１に対する接離を行うので、蛍光管２、２、・・・、２の交換作業に従事する作業者の負担を軽減することができる。また雄ねじ体１２の回転によって雌ねじ体１３を昇降させて、雌ねじ体１３の昇降運動を連結棒１６を介してパネル保持枠６の枢動運動に効率良く変換することができる。また接離機構１０、１０を連動させる連動機構２０を設けることによって、接離機構１０、１０の動作を同期させ、パネル保持枠６の両側を前記連結棒１６にて安定に支持した状態でパネル保持枠６が枢動するので、パネル保持枠６の歪みの発生を防止することができる。また前記連動機構２０をタイミングプーリ２１、２１とタイミングベルト２２とによって構成することで、簡素な構成にて、接離機構１０、１０を同期して動作させることができ、また一方の接離機構１０の動作を効率よく他方の接離機構１０に伝達することができる。また蛍光管２、２、・・・、２の保守・交換を行う場合にのみ、ハンドル１９ａを取手取付部１９に取り付けるようにして、表示装置の出荷時における組立部品からハンドル１９ａを除外し、表示装置の組立時間を短縮することができる。また蛍光管２、２、・・・、２の交換作業に従事する作業者はハンドル１９ａの簡便な操作で前記パネル保持枠６を枢動させることができるので、作業者の負担は軽くなる。
【００６２】
なお実施の形態２に係る表示装置は、クランク形のハンドル１９ａを取手取付部１９に取り付ける構成となっているが、円形のハンドルを取手取付部１９に取り付けても良い。またタイミングプーリ２１及びタイミングベルト２２に代えて、スプロケット及びチェーンを使用しても良い。
【００６３】
次に実施の形態２に係る表示装置の変形例について説明する。図８は、接離機構１０、１０及び連動機構２０の要部構成を示す模式図である。モータ（図示せず）を有する駆動装置１９ｄに、取手取付部１９に取り付け可能な回転軸１９ｇが設けてあり、該モータに回転軸１９ｇは連結している。前記駆動装置１９ｄは、正回転スイッチ１９ｅ及び逆回転スイッチ１９ｆを有しており、該正回転スイッチ１９ｅのオン操作によって回転軸１９ｇは軸回りに正回転し、逆回転スイッチ１９ｆのオン操作によって回転軸１９ｇは軸回りに逆回転し、正回転スイッチ１９ｅ及び逆回転スイッチ１９ｆのオフ操作によって回転軸１９ｇの回転は停止する。パネル保持枠６とバックライトシャーシ１とを離反又は接近させる場合には、回転軸１９ｇを取手取付部１９に取り付けて、正回転スイッチ１９ｅ又は逆回転スイッチ１９ｆをオンにし、雄ねじ体１２を正逆回転させる。なお図８において、パネル保持枠６とバックライトシャーシ１との接離動作を、図６と同様に実線矢印及び破線矢印にて示してある。
【００６４】
実施の形態２に係る表示装置の変形例にあっては、駆動装置１９ｄから伝達された動力で回転軸１９ｇが正逆回転し、前記雄ねじ体１２が回転するので、前記パネル保持枠６は高速で枢動し、蛍光管２、２、・・・、２の交換に要する時間を短縮することができる。
【００６５】
図９は実施の形態２に係る表示装置のその他の変形例における接離機構１０、１０及び連動機構２０の要部構成を示す模式図である。
ウォーム１８の軸部分に複数の歯車を有する減速機１９ｂが連結してあり、該減速機１９ｂにはモータ１９ｃが連結してある。モータ１９ｃの回転駆動は、減速機１９ｂにて高トルクの回転力に変換され、該回転力によってウォーム１８は正逆回転する。またモータ１９ｃのオンオフ及び回転方向を選択するためのスイッチ（図示せず）をバックライトシャーシ１に設けてあり、該スイッチの操作によってモータ１９ｃは駆動または停止し、パネル保持枠６とバックライトシャーシ１との接離動作が行われる。なお図９において、パネル保持枠６とバックライトシャーシ１との接離動作を、図６と同様に実線矢印及び破線矢印にて示してある。
【００６６】
実施の形態２に係る表示装置のその他の変形例にあっては、モータ１９ｃの駆動によって前記雄ねじ体１２が回転するので、前記パネル保持枠６は高速で枢動し、蛍光管２、２、・・・、２の交換に要する時間を短縮することができる。なお実施の形態２に係る表示装置の変形例は、モータ１９ｃを減速機１９ｂを介して雄ねじ体１２に連結しているが、雄ねじ体１２にモータ１９ｃを直接連結しても良い。
【００６７】
実施の形態２に係る表示装置の構成の内、実施の形態１と同様な構成については同じ符号を付し、その詳細な説明を省略する。
【図面の簡単な説明】
【００６８】
【図１】実施の形態１に係る表示装置のパネル保持枠及びバックライトシャーシが離反した状態における表示装置を示す模式的斜視図である。
【図２】実施の形態１に係る表示装置のパネル保持枠及びバックライトシャーシが離反した状態における表示装置を示す模式的背面図である。
【図３】実施の形態１に係る表示装置の変形例を示す模式的側面図である。
【図４】実施の形態２に係る表示装置を示す模式的正面図である。
【図５】実施の形態２に係る表示装置のパネル保持枠をバックライトシャーシから離反させた状態での表示装置を示す模式的側面図である。
【図６】実施の形態２に係る表示装置の接離機構及び連動機構の要部構成を示す模式的斜視図である。
【図７】図６におけるＶＩＩ―ＶＩＩ線での模式的平面断面図である。
【図８】実施の形態２に係る表示装置の変形例における接離機構及び連動機構の要部構成を示す模式図である。
【図９】実施の形態２に係る表示装置のその他の変形例における接離機構及び連動機構の要部構成を示す模式図である。
【符号の説明】
【００６９】
１  バックライトシャーシ（シャーシ）
２  蛍光管（光源）
４  ヒンジ
４ａ  枢軸
４ｂ  可動板
５  表示パネル
６  パネル保持枠
７  ダンパアーム（緩衝部材、杆体、自重緩衝部材）
７ａ  シリンダ部（緩衝部）
７ｂ  ロッド部
１０  接離機構
１２  雄ねじ体
１３  雌ねじ体
１６  連結棒
１７  ウォームホイール（伝動部材）
１８  ウォーム（伝動部材）
１９ａ  ハンドル（動力発生手段）
１９ｃ  モータ
１９ｇ  回転軸
２０  連動機構
２１  タイミングプーリ
２２  タイミングベルト
７０  軸体
７１  ばね（付勢部材）
【図１】
2010061015.tif 000003
【図２】
2010061015.tif 000004
【図３】
2010061015.tif 000005
【図４】
2010061015.tif 000006
【図５】
2010061015.tif 000007
【図６】
2010061015.tif 000008
【図７】
2010061015.tif 000009
【図８】
2010061015.tif 000010
【図９】
2010061015.tif 000011